(57)【要約】【課題】墓に収納される遺骨以外に分骨された遺骨を収納することが可能で、故人を身近に感じながら生活することができる位牌を提供する。【解決手段】受け部１９を台座３に取り付けると、受け部１９が収納凹部５の開口７を覆う状態となり、遺骨を入れた遺骨用容器３３は完全に外部からは見えない状態となる。そして、この位牌１を仏壇に設置しておく。このように位牌１を用いれば墓に収納される遺骨以外に分骨された遺骨を収納することが可能で、故人を身近に感じながら生活することができるようになる。【選択図】        図１
2012213538.tif 000002
【特許請求の範囲】
【請求項１】
台座と、前記台座の上面を覆う状態に取り付けられる受け部と、前記受け部上に立設する礼板とを具備する位牌において、前記台座に設けられた遺骨用容器収容部と、前記遺骨用容器収容部に収容される遺骨用容器とを備えたことを特徴とする位牌。
【請求項２】
請求項１に記載した位牌において、遺骨用容器収容部は台座に形成され台座の上面に開口を有する収容凹部によって構成され、受け部は台座に対し取り付け手段を介して着脱自在に取り付けられていることを特徴とする位牌。
【請求項３】
請求項２に記載した位牌において、取り付け手段は台座の上面と受け部の下面の一方側に設けられた嵌合凸部と、他方側に設けられた前記嵌合凸部が嵌合する嵌合穴とによって構成され、嵌合凸部と嵌合穴はそれぞれ２つ設けられており、このうち１つの嵌合凸部と１つの嵌合穴が前記台座側に備えられ、他の１つの嵌合凸部と他の１つの嵌合穴が前記受け部側に備えられていることを特徴とする位牌。
【請求項４】
請求項２または３に記載した位牌において、取り付け手段は台座側と受け部側に設けられ互いに吸着するマグネットによって構成されていることを特徴とする位牌。
【発明の詳細な説明】
【技術分野】
【０００１】
本発明は位牌に係り、特に遺骨の収納機能を備えた位牌に関するものである。
【背景技術】
【０００２】
故人を偲ぶために墓参りをするが、菩提寺が遠方にある場合、またそれ程遠くなくても１年に墓参りをする回数は限られている。このため、家庭に仏壇を置き、日々の生活の中で故人を偲ぶことが行われている。
ところが、位牌には戒名が記載されているだけであり、故人を身近に感じることはできないという意見があり、これに応えようとするものとして特許文献１に記載された位牌がある。この位牌は写真等を備えたメモリアルパネルが固着されている。
【先行技術文献】
【特許文献】
【０００３】
【特許文献１】特開２００９−１２５１２０号公報
【発明の概要】
【発明が解決しようとする課題】
【０００４】
しかしながら、故人をより身近に感じながら生活をするためには遺骨を身近に置きたいという要望が強く、上記従来の位牌のメモリアルパネルではこれに応えることはできなかった。
本発明は上記従来の問題点に着目して為されたものであり、墓に収納される遺骨以外に分骨された遺骨を収納することが可能で、故人を身近に感じながら生活することができる位牌の提供を、その目的とする。
【課題を解決するための手段】
【０００５】
本発明は上記課題を解決するためになされたものであり、請求項１の発明は、台座と、前記台座の上面を覆う状態に取り付けられる受け部と、前記受け部上に立設する礼板とを具備する位牌において、前記台座に設けられた遺骨用容器収容部と、前記遺骨用容器収容部に収容される遺骨用容器とを備えたことを特徴とする位牌である。
【０００６】
請求項２の発明は、請求項１に記載した位牌において、遺骨用容器収容部は台座に形成され台座の上面に開口を有する収容凹部によって構成され、受け部は台座に対し取り付け手段を介して着脱自在に取り付けられていることを特徴とする位牌である。
【０００７】
請求項３の発明は、請求項２に記載した位牌において、取り付け手段は台座の上面と受け部の下面の一方側に設けられた嵌合凸部と、他方側に設けられた前記嵌合凸部が嵌合する嵌合穴とによって構成され、嵌合凸部と嵌合穴はそれぞれ２つ設けられており、このうち１つの嵌合凸部と１つの嵌合穴が前記台座側に備えられ、他の１つの嵌合凸部と他の１つの嵌合穴が前記受け部側に備えられていることを特徴とする位牌である。
【０００８】
請求項４の発明は、請求項２または３に記載した位牌において、取り付け手段は台座側と受け部側に設けられ互いに吸着するマグネットによって構成されていることを特徴とする位牌である。
【発明の効果】
【０００９】
本発明の位牌によれば、墓に収納される遺骨以外に分骨された遺骨を収納することが可能で、故人を身近に感じながら生活することができるようになる。
【図面の簡単な説明】
【００１０】
【図１】本発明の実施の形態に係る位牌の斜視図である。
【図２】図１の位牌の分解斜視図である。
【図３】図１の位牌の側面図である。
【発明を実施するための形態】
【００１１】
本発明の実施の形態に係る位牌１を図面にしたがって説明する。
符号３は台座を示し、この台座３には遺骨用容器収容部としての収納凹部５が形成されており、収納凹部５は台座３の上面に円形の開口７を有している。開口７の左右両側には浅い凹部９が形成され、一対の凹部９は略半円形で開口７に連なっている。
【００１２】
台座３の上面には１つの嵌合穴１１と１つの嵌合凸部１３が設けられており、これら嵌合穴１１、嵌合凸部１３は台座３上面の背面側寄りで左右両側にそれぞれ配置されている。
また、台座３の上面には２つのマグネット１５、１７が設けられており、これらマグネット１５、１７は台座３上面の前面側寄りで左右両側にそれぞれ配置されている。
【００１３】
符号１９は受け部を示し、この受け部１９の下面には開口が円形の凹部２１が形成され、この凹部２１は台座３の収納凹部５の開口７に対応する大きさで、且つ開口７に対向する位置に備えられている。
また、受け部１９の下面には１つの嵌合穴２３と１つの嵌合凸部２５が設けられている。これら嵌合穴２３、嵌合凸部２５は受け部１９の下面の背面側寄りで左右両側にそれぞれ配置されている。嵌合穴２３、嵌合凸部２５は台座３の嵌合凸部１３、嵌合穴１１にそれぞれ対応している。
【００１４】
また、受け部１９の下面には２つのマグネット２７、２９が設けられている。これらマグネット２７、２９は受け部１９の下面の前面側寄りで左右両側にそれぞれ配置されており、マグネット１５、１７に対応している。
上記台座３の嵌合穴１１、嵌合凸部１３、受け部１９の嵌合穴２３、嵌合凸部２５、台座３のマグネット１５、１７、受け部１９のマグネット２７、２９によって取り付け手段が構成されている。
【００１５】
受け部１９には礼板３１が取り付けられており、この礼板３１は受け部１９上に立設して備えられている。
符号３３は遺骨用容器を示し、この遺骨用容器３３は本体３５と蓋３７とから成る。本体３５は台座３の収納凹部５に僅かな隙間をあけて収容される形状、サイズに形成されている。
【００１６】
次に、この位牌の使用方法について説明する。
図２に示すように、受け部１９を札板３１と共に台座３から取り外す。そして、遺骨用容器３３の本体３５に遺骨を入れてから蓋３７を閉めて、この遺骨用容器３３を台座３の収納凹部５に収納する。なお、開口７の左右両側には浅い凹部９が形成されているので、遺骨用容器３３の本体３５の上端部を指で摘まんで収納凹部５に入れれば、遺骨用容器３３が収納凹部５の底に着くまで、指で支持することができて、遺骨用容器３３をより丁寧に扱うことが可能である。
【００１７】
次に、受け部１９を台座３に対向させ、嵌合凸部２５を嵌合穴１１に、嵌合穴２３を嵌合凸部１３に対応させて、受け部１９の下面を台座３の上面に宛がい、嵌合凸部２５を嵌合穴１１に嵌合させ、嵌合穴２３に嵌合凸部１３が嵌合させて、受け部１９を台座３に取り付ける。このように、嵌合凸部２５が嵌合穴１１に嵌合し、嵌合穴２３に嵌合凸部１３が嵌合するので、受け部１９を台座３の正しい位置に確実に取り付けることができる。
【００１８】
上記したように嵌合凸部１３、２５と嵌合穴１１、２３はそれぞれ２つ設けられており、このうち１つの嵌合凸部１３と１つの嵌合穴１１が台座３側に備えられ、他の１つの嵌合凸部２５と他の１つの嵌合穴２３が受け部１９側に備えられており、台座３側と受け部１９側で嵌合凸部１３、２５と嵌合穴１１、２３とが互い違いになっている。
【００１９】
そこで、上記受け部１９を台座３に取り付ける際に嵌合凸部１３、２５のいずれか一方を嵌合穴１１、２３に入れてから、その入れた側を支点として受け部１９を僅かに回動させる。そして、受け部１９のマグネット２７、２９と台座３のマグネット１５、１７とが吸着し合う位置となったところで、受け部１９を持っている手の力を緩めれば、嵌合凸部１３、２５の他方側を嵌合穴１１または嵌合穴２３にほぼ自動的に入れることができ、取り付け操作を極めて簡単に行うことができる。
マグネット２７、２９とマグネット１５、１７も受け部１９の台座３に対する固定に寄与するので、受け部１９を台座３により確実に固定することができる。
【００２０】
受け部１９を台座３に取り付けると、受け部１９が収納凹部５の開口７を覆う状態となり、遺骨を入れた遺骨用容器３３は完全に外部からは見えない状態となる。
そして、この位牌１を仏壇に設置しておく。このように位牌１を用いれば墓に収納される遺骨以外に分骨された遺骨を収納することが可能で、故人を身近に感じながら生活することができるようになる。
【００２１】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施の形態では、遺骨用容器収容部を台座の上面に開口を有する収容凹部によって構成したが、本発明はこれに限定されず、台座に引き出しを備え、これを遺骨用容器収容部としてもよい。
【００２２】
また、遺骨用容器収容部は上面に開口を有する構成に限らず、台座の側面や底面に開口を有する構成として、この開口から遺骨用容器を出し入れ可能とするようにしてもよい。この場合に台座の側面や底面の開口を開閉できる蓋体を備える構成としてもよいが、遺骨用容器自体が開口を閉鎖する構成とすることも可能である。
上記実施の形態では、取り付け手段として嵌合凸部と嵌合穴、マグネットの両方を用いたが、嵌合凸部と嵌合穴、マグネットのいずれか一方のみを用いる構成としてもよい。
【００２３】
また、上記実施の形態では台座側と受け部側で嵌合凸部と嵌合穴とが互い違いになっている構成としたが、台座側と受け部側の一方側に嵌合凸部だけ、または嵌合穴だけを備え、他方側に嵌合穴だけ、または嵌合凸部だけを備える構成としてもよい。
なお、遺骨用容器を布袋に入れて、収納凹部に収容するようにしてもよい。
【産業上の利用可能性】
【００２４】
本発明の位牌は仏具製造業において、利用可能性を有する。
【符号の説明】
【００２５】
１…位牌      ３…台座      ５…収納凹部
７…収納凹部の開口      ９…浅い凹部      １１…台座の嵌合穴
１３…台座の嵌合凸部      １５、１７…マグネット
１９…受け部      ２１…凹部      ２３…嵌合穴
２５…嵌合凸部      ２７、２９…マグネット
３１…札板      ３３…遺骨用容器      ３５…遺骨用容器の本体
３７…遺骨用容器の蓋
【図１】
2012213538.tif 000003
【図２】
2012213538.tif 000004
【図３】
2012213538.tif 000005